(57)【要約】      （修正有）【課題】鏡体の固定の解除の際にその鏡体を手で支える必要がなく、しかも簡単な構成で且つ小型化を図ることのできる手術用顕微鏡を提供する。【解決手段】上下左右方向に回動可能な支持アームの先端部に取り付けられるアーム１１と、このアーム１１に腑仰機構２０を介して取り付けられた鏡体１２と、この鏡体１２に設けられた顕微鏡光学系とを備え、腑仰機構２０は、ナット部材２２の締め付けにより鏡体１２を任意の腑仰角度でアーム１１に固定し、そのナット部材２２による固定が解除された際、鏡体１２を回動軸２１回りにフリーにする手術用顕微鏡であって、鏡体１２が回動軸２１回りにフリーにされた際、この鏡体１２の回動軸２１回りの回動に流体の粘性によって減衰を与えるオイルダンパー３０を設けた。【選択図】図３
2008237515.tif 000002
【特許請求の範囲】
【請求項１】
上下左右方向に回動可能な支持アームの先端部に取り付けられるアームと、このアームに腑仰機構を介して取り付けられた鏡体と、この鏡体に設けられた顕微鏡光学系とを備え、前記腑仰機構は、ロック手段により前記鏡体を任意の腑仰角度でアームに固定し、そのロック手段のロックが解除された際、前記鏡体を腑仰軸回りにフリーにする手術用顕微鏡であって、
前記鏡体が腑仰軸回りにフリーにされた際、この鏡体の腑仰軸回りの回動に流体の粘性によって減衰を与える減衰手段を設けたことを特徴とする手術用顕微鏡。
【請求項２】
前記減衰手段は、オイルダンパーであることを特徴とする請求項１に記載の手術用顕微鏡。
【発明の詳細な説明】
【技術分野】
【０００１】
この発明は、支持アームの先端部に取り付けられるアームに腑仰機構を介して鏡体を取り付ける手術用顕微鏡に関する。
【背景技術】
【０００２】
従来から、支持アームの先端部に鏡体を取り付けた手術用顕微鏡が知られている（特許文献１参照）。
【０００３】
かかる手術用顕微鏡は、支持アームの先端部に取り付けられるアームと、このアームに腑仰機構を介して取り付けられた鏡体とを有し、この鏡体内には対物レンズと変倍光学系と接眼レンズとが設けられている。
【０００４】
鏡体は、腑仰機構により任意の腑仰角度でアームに固定されるようになっている。
【発明の開示】
【発明が解決しようとする課題】
【０００５】
しかしながら、このような手術用顕微鏡にあっては、鏡体は腑仰機構により任意の腑仰角度でアームに固定されるが、その固定を解除すると鏡体が自重により腑仰軸回りに回動する。鏡体は光学系等が設けられていることにより重く、このため、その固定が解除されると鏡体は勢いよく回動してしまうという問題があった。この問題を回避するため、操作者は鏡体を手で支えながらその鏡体の固定の解除を行わなければならなかった。
【０００６】
また、大型の実体顕微鏡では、弾性部材の反力を利用して鏡体に作用する重力モーメントを相殺するものがあるが（特許文献２参照）、機構が複雑で大型化してしまう問題がある。
【０００７】
この発明の目的は、鏡体の固定の解除の際にその鏡体を手で支える必要がなく、しかも簡単な構成で且つ小型化を図ることのできる手術用顕微鏡を提供することにある。
【課題を解決するための手段】
【０００８】
請求項１の発明は、上下左右方向に回動可能な支持アームの先端部に取り付けられるアームと、このアームに腑仰機構を介して取り付けられた鏡体と、この鏡体に設けられた顕微鏡光学系とを備え、前記腑仰機構は、ロック手段により前記鏡体を任意の腑仰角度でアームに固定し、そのロック手段のロックが解除された際、前記鏡体を腑仰軸回りにフリーにする手術用顕微鏡であって、
前記鏡体が腑仰軸回りにフリーにされた際、この鏡体の腑仰軸回りの回動に流体の粘性によって減衰を与える減衰手段を設けたことを特徴とする。
【発明の効果】
【０００９】
この発明によれば、鏡体の固定の解除の際にその鏡体を手で支える必要がなく、しかも簡単な構成で且つ小型化を図ることができる。
【発明を実施するための最良の形態】
【００１０】
以下、この発明に係わる手術用顕微鏡の実施の形態である一実施例を図面に基づいて説明する。
【実施例】
【００１１】
図１において、１は支持ポストであり、この支持ポスト１の上部に水平回動可能なＬ字アーム２が装着され、このＬ字アーム２の先端部に上下方向に揺動可能な支持アーム３が装着されている。支持アーム３の先端部には上下方向に延びた取付軸４が装着されている。そして、取付軸４には実体顕微鏡である手術用顕微鏡１０が着脱可能に取り付けられている。
【００１２】
手術用顕微鏡１０は、図２および図３に示すように、上下方向に延びたアーム１１と、このアーム１１に腑仰機構２０を介して装着された鏡体１２とを備えている。
【００１３】
アーム１１は下部に形成されたダンパー室２６を有しており、このダンパー室２６にオイルダンパー（減衰手段）３０が装着されている。また、アーム１１の右側面１１Ａ（図３において）が平面状に形成されている。
【００１４】
鏡体１２は、鏡筒１２Ａと、この鏡筒１２Ａを支持するとともにアーム１１の右側面１１Ａに取り付けられた支持筐体１２Ｂとを有している。
【００１５】
鏡筒１２Ａには、顕微鏡光学系（図示せず）等が設けられており、顕微鏡光学系は、図示しない対物レンズと、変倍光学系（図示せず）と、一対の接眼レンズ１３等とを有している。この鏡筒１２Ａは、各光学系が設けられていることにより重くなっており、自重により後述する回動軸２１を中心にして矢印Ｐ方向の重力モーメントが常に働いている。
【００１６】
腑仰機構２０は、支持筐体１２Ｂの側面１２Ｂａに取り付けられた回動軸（腑仰軸）２１と、この回動軸２１の先端部２１Ａに取り付けられたナット部材２２と、このナット部材２２に取り付けられた緊定ハンドル２４等とを有している。
【００１７】
回動軸２１は、アーム１１の側面１１Ａから他方の側面１１Ｂを回動自在に貫通しており、その先端部２１Ａが側面１１Ｂから突出している。先端部２１Ａにはネジ部２１Ｎが形成され、このネジ部２１Ｎにナット部材（ロック手段）２２が螺合している。
【００１８】
そして、緊定ハンドル２４を操作してナット部材２２を締め付けると、支持筐体１２Ｂの側面１２Ｂａがアーム１１の側面１１Ａに圧接され、この圧接による摩擦力により支持筐体１２Ｂがアーム１１に固定される。すなわち、アーム１１に鏡体１２が固定されることになる。
【００１９】
逆に、緊定ハンドル２４を操作してナット部材２２を緩めると、支持筐体１２Ｂすなわち鏡体１２が回動軸２１とともに回動軸２１回りに回動自在となり、手術用顕微鏡１０の腑仰角を任意に調整することができるようになる。
【００２０】
オイルダンパー３０は、図４および図５に示すように、アーム１１のダンパー室２６に固定されるベース３１と、このベース３１に対して回動自在に取り付けられた回動ディスク３２と、この回動ディスク３２を覆ったカバーケース３３等とを有している。回動ディスク３２の中央部の軸受部３２Ａには四角形の軸穴３２ｂが形成され、この軸穴３２ｂに回動軸２１が装着されており、回動軸２１と回動ディスク３２とが一体となって回動していくようになっている。
【００２１】
また、回動ディスク３２の一側面の軸受部３２Ａの周囲に複数の凹凸３４が形成されている。そして、回転ディスク３２とカバーケース３３との間には所定の空間が形成され、この空間にオイル（図示せず）が密封されている。このオイルの粘性により回動ディスク３２の回動に減衰を与えるようになっている。
［作  用］
次に、上記のように構成される手術用顕微鏡１０の作用について説明する。
【００２２】
いま、例えば図２に示すようにアーム１１に鏡体１２が固定され、所定の腑仰角で被観察面を観察しているとき、その腑仰角を変える場合、緊定ハンドル２４を操作してナット部材２２を緩める。
【００２３】
このナット部材２２の緩めによって、鏡体１２の支持筐体１２Ｂが回動軸２１とともに回動軸２１回りに回動自在となる。これにより、鏡体１２は自重により回動軸２１を中心にして矢印Ｐ方向に回動していく。
【００２４】
回動軸２１には、オイルダンパー３０の回動ディスク３２が装着されていることにより、鏡体１２の回動とともに回動ディスク３２が回動していくが、オイルダンパー３０のオイルの粘性により回動ディスク３２の回動に減衰が加えられ、この結果、鏡体１２は自重によりゆっくりと回動していく。
【００２５】
このため、緊定ハンドル２４を操作してナット部材２２を緩める際に、従来のように鏡体１２を手で支える必要がない。
【００２６】
そして、ナット部材２２を緩めた後、鏡体１２を回動軸２１回りに回動させて所望の腑仰角にする。この後、緊定ハンドル２４を操作してナット部材２２を締めて鏡体１２をアーム１１に固定する。
【００２７】
この固定の際も、オイルダンパー３０の回動ディスク３２の回動に減衰が加えられることにより、鏡体１２を支える力は小さな力で済み、このためその締め付け操作も簡単に行うことができる。
【００２８】
このように、ナット部材２２を緩める際に鏡体１２を支える必要がなく、しかもナット部材２２の締め付けの際も、鏡体１２を支える力は小さくて済むので手術用顕微鏡１０の腑仰角の変更操作は容易なものとなる。
【００２９】
また、アーム１１にオイルダンパー３０を設けただけなので、その構成は簡単であり小型化を図ることができ、安価な手術用顕微鏡を提供することができる。
【図面の簡単な説明】
【００３０】
【図１】この発明に係る手術用顕微鏡とその支持構造を示した説明図である。
【図２】図１の手術用顕微鏡の外観を示した斜視図である。
【図３】アームに装着された鏡体を示した説明図である。
【図４】オイルダンパーを示した平面図である。
【図５】オイルダンパーの構成を示した断面図である。
【符号の説明】
【００３１】
１０      手術用顕微鏡
１１      アーム
１２      鏡体
２０      腑仰機構
２１      回動軸（俯仰軸）
３０      オイルダンパー（減衰手段）
【図１】
2008237515.tif 000003
【図２】
2008237515.tif 000004
【図３】
2008237515.tif 000005
【図４】
2008237515.tif 000006
【図５】
2008237515.tif 000007
【手続補正書】
【提出日】平成19年4月27日(2007.4.27)
【手続補正１】
【補正対象書類名】明細書
【補正対象項目名】０００４
【補正方法】変更
【補正の内容】
【０００４】
鏡体は、腑仰機構により任意の腑仰角度でアームに固定されるようになっている。
【特許文献１】特開平９−９４２５６号公報
【手続補正２】
【補正対象書類名】明細書
【補正対象項目名】０００６
【補正方法】変更
【補正の内容】
【０００６】
また、大型の実体顕微鏡では、弾性部材の反力を利用して鏡体に作用する重力モーメントを相殺するものがあるが（特許文献２参照）、機構が複雑で大型化してしまう問題がある。
【特許文献２】特許第３５９４６３４号公報